(57)【要約】【課題】マスク本体部の左右両側部分における隙間の形成の抑制機能を向上することができるマスクを提供する。【解決手段】マスク本体部２は、上下方向に広がることが可能な複数のプリーツ４ａ〜４ｄと、マスク本体部２の左右方向両側に形成された、プリーツ４ａ〜４ｄの広がりを押さえる接合部２０とを有し、この接合部２０が、上下方向に延びた直線部２１，２２と、左右方向外側に向かって膨らんだ円弧部２３とを直列に有する構成とする。【選択図】図１
2011024942.tif 000002
【特許請求の範囲】
【請求項１】
着用者の顔面の対象部位を覆うマスク本体部と、このマスク本体部を前記着用者の耳に係止するための左右一対の耳掛け部と、を備えるマスクであって、
前記マスク本体部は、
上下方向に広がることが可能な複数のプリーツと、
前記マスク本体部の左右方向両側に形成された、前記プリーツの広がりを押さえるプリーツ押部と、を有しており、
前記プリーツ押部は、
前記上下方向に延びた直線部と、前記左右方向外側に向かって膨らんだ形状の円弧部と、を直列に有している
ことを特徴とするマスク。
【請求項２】
前記プリーツ押部は、
前記複数のプリーツのうち前記マスク本体部の上下方向中央側に位置する２つのプリーツ間に設けられた前記円弧部と、この円弧部の前記上下方向両側に設けられた前記直線部と、を有している
ことを特徴とする請求項１記載のマスク。
【請求項３】
前記プリーツ押部は、
前記直線部と前記円弧部との境界が前記プリーツに対応した位置となるように、構成されている
ことを特徴とする請求項１または２記載のマスク。
【請求項４】
前記耳掛け部は、
その端部が前記マスク本体部の表側に固定されることにより、前記マスク本体部に取り付けられている
ことを特徴とする請求項１〜３のいずれか１項に記載のマスク。
【請求項５】
前記プリーツ押部は、
前記マスク本体部の左右方向両側においてそれぞれ二重となるように、前記マスク本体部に形成されている
ことを特徴とする請求項１〜４のいずれか１項に記載のマスク。
【発明の詳細な説明】
【技術分野】
【０００１】
本発明は、鼻及び口を含む着用者の顔面の対象部位を覆うマスクに関する。
【背景技術】
【０００２】
塵、埃、花粉、微生物等が着用者の鼻や口から体内へ侵入することを防止するマスクとして、いわゆるプリーツタイプのマスクが知られている。このマスクは、上下方向に広がるプリーツが設けられたマスク本体部と、このマスク本体部を耳に係止するための耳掛け部とを有しており、着用時にはプリーツが上下方向に広がることにより、マスク本体部が山型の立体的形状となる。これにより、着用者の鼻や口の圧迫が抑制されて息苦しさが軽減されると共に、着用者が女性である場合には唇に塗られた口紅がマスク本体部に付着しにくいという利点がある。
【０００３】
このようなプリーツタイプのマスクでは、マスク本体部の左右方向両側に、プリーツの広がりを押さえるためのプリーツ押部が上下方向に直線状に形成されている。これにより、マスク本体部のプリーツは、着用時にはプリーツ押部の左右方向中央側においてのみ上下方向に広がり、左右方向外側においては広がりが押さえられる。その結果、マスク本体部の左右両側部分が中央側に引っ張られ、これにより生じた歪みによりマスク本体部の左右両側中央部において着用者の頬との間に隙間が形成されて、マスク機能の低下を招く原因となっていた。
【０００４】
このような隙間の形成を抑制するために、マスク本体部の左右両側におけるプリーツ押部の形態に工夫がなされたマスクが提唱されている（例えば、特許文献１及び特許文献２参照）。
特許文献１に記載のマスクは、マスク本体部の左右両側に外側に向かって膨らんだ円弧状のプリーツ押部を形成したものである。これにより、着用時にマスク本体部の左右両側中央部分を着用者側に変形させて、着用者の頬との間に形成される隙間の抑制を図っている。
【０００５】
特許文献２に記載のマスクは、マスク本体部の左右両側に上下方向に延びた直線状の第１のプリーツ押部を形成すると共に、この第１のプリーツ押部の上下方向中央位置から上下両側の縁部に向かって斜め方向に第２のプリーツ押部を形成したものである。これにより、第１及び第２のプリーツ押部によって挟まれたマスク本体部の角部の領域におけるプリーツの広がりを防止し、当該角部における装着性の向上を図っている。
【先行技術文献】
【特許文献】
【０００６】
【特許文献１】実用新案登録第３１０８８８０号公報
【特許文献２】実用新案登録第３１１７５００号公報
【発明の概要】
【発明が解決しようとする課題】
【０００７】
上述したように、着用時におけるマスク本体部のプリーツは、プリーツ押部を境としてその左右方向中央側においては広がり、左右方向外側では広がりが押さえられる。このため、マスク本体部の左右両側部分には、プリーツ押部を各プリーツ位置において左右方向外側に向けて屈曲させようとする応力が生じる。
【０００８】
このとき、上記特許文献１に記載のマスクでは、外側に向かって膨らんだ円弧状のプリーツ押部が各プリーツを跨いで形成されている。このプリーツ押部は、上記のプリーツ押部を外側に屈曲させようとする応力の作用方向とは反対方向に湾曲しているため、上記の応力はプリーツ押部の各プリーツ位置において吸収されずに、マスク本体部の左右両側における上下方向中央部に集中する。これにより、マスク本体部の上下方向中央部に位置する２つのプリーツの間に、上記応力集中によりプリーツ押部の凹凸状態が変化する変曲点が形成されることになり、当該プリーツ押部の変曲点を原因とする歪みや隙間がマスク本体部の左右両側部分に生じるおそれがあった。
【０００９】
また上記特許文献２に記載のマスクでは、第２のプリーツ押部が外側に向かって膨らんだ略円弧形状となっており、当該第２のプリーツ押部が各プリーツを跨いで形成されているため、上記特許文献１と同様の課題を生じる結果となる。
以上のように、上記特許文献１及び特許文献２に記載のいずれのマスクも、マスク本体部の左右両側部分における隙間の形成を十分に抑制できるとは言えなかった。
【００１０】
本発明の目的は、マスク本体部の左右両側部分における隙間の形成の抑制機能を向上することができるマスクを提供することにある。
【課題を解決するための手段】
【００１１】
上記目的を達成するために、第１発明のマスクは、着用者の顔面の対象部位を覆うマスク本体部と、このマスク本体部を前記着用者の耳に係止するための左右一対の耳掛け部と、を備えるマスクであって、前記マスク本体部は、上下方向に広がることが可能な複数のプリーツと、前記マスク本体部の左右方向両側に形成された、前記プリーツの広がりを押さえるプリーツ押部と、を有しており、前記プリーツ押部は、前記上下方向に延びた直線部と、前記左右方向外側に向かって膨らんだ形状の円弧部と、を直列に有していることを特徴とする。
【００１２】
本願第１発明のマスクは、いわゆるプリーツタイプのマスクである。すなわち、着用時にマスク本体部のプリーツを上下方向に広げることにより、鼻及び口を含む着用者の顔面の対象部位が覆われる。
ここで本願第１発明では、マスク本体部の左右方向両側に形成されたプリーツ押部が、上下方向に延びた直線部と、左右方向外側に向かって膨らんだ形状の円弧部とを、直列に有する構成とする。これにより、着用時に円弧部の部分を着用者側に変形させて着用者の頬との間に形成される隙間を抑制しつつ、直線部と円弧部との境界にプリーツ押部の凹凸状態が変化する変曲点を形成することができる。この変曲点は、上下方向に延びた直線部と、左右方向外側に向かって膨らんだ形状の円弧部との境界であるから、プリーツ押部は当該変曲点において左右方向外側に向けて屈曲している。したがって、当該変曲点により前述したプリーツ押部を同方向に屈曲させようとする応力を吸収することができるので、マスク本体部の左右両側中央部への応力集中を緩和することができる。その結果、マスク本体部の上下方向中央部に位置する２つのプリーツの間にプリーツ押部の変曲点が形成されることを防止できるので、マスク本体部の左右両側部分における歪みや隙間の形成を抑制することができる。
【００１３】
第２発明のマスクは、上記第１発明において、前記プリーツ押部は、前記複数のプリーツのうち前記マスク本体部の上下方向中央側に位置する２つのプリーツ間に設けられた前記円弧部と、この円弧部の前記上下方向両側に設けられた前記直線部と、を有していることを特徴とする。
【００１４】
一般に、マスク本体部の左右方向両側に直線状のプリーツ押部のみを形成した場合、着用時に生じた歪みによりマスク本体部の左右両側中央部において着用者の頬との間に隙間が形成されて、マスク機能の低下を招く。
本願第２発明では、円弧部をマスク本体部の上下方向中央側に位置する２つのプリーツ間に設けることにより、着用時に当該円弧部の部分を着用者側に変形させて、上記の左右両側中央部に形成される隙間を効果的に抑制することができる。
【００１５】
また円弧部を上下方向中央側の２つのプリーツ間に設けることで、円弧部がプリーツを跨がない構成とすることができる。すなわち、左右方向外側に向かって膨らんだ円弧部の形状は、プリーツ押部を外側に屈曲させようとする応力の作用方向とは反対方向に湾曲しているため、円弧部がプリーツを跨ぐ場合にはプリーツ押部を屈曲させようとする応力を吸収することができないが、上述のように円弧部がプリーツを跨がない構成とすることで、上記応力の吸収機能を向上することができる。
【００１６】
第３発明のマスクは、上記第１または第２発明において、前記プリーツ押部は、前記直線部と前記円弧部との境界が前記プリーツに対応した位置となるように、構成されていることを特徴とする。
本願第３発明では、直線部と円弧部との境界をプリーツ位置に対応させる。前述したように、当該境界には変曲点が形成され、プリーツ押部は当該変曲点において左右方向外側に向けて屈曲するため、当該変曲点の位置とプリーツ位置とを一致させることにより、上述のプリーツ押部を同方向に屈曲させようとする応力を効果的に吸収することができる。
【００１７】
第４発明のマスクは、上記第１乃至第３発明のいずれかにおいて、前記耳掛け部は、その端部が前記マスク本体部の表側に固定されることにより、前記マスク本体部に取り付けられていることを特徴とする。
本願第４発明では、耳掛け部の端部をマスク本体部の表側（着用者側と反対となる側）に取り付ける。これにより、耳掛け部の端部をマスク本体部の裏側（着用者側）に取り付ける場合に比べ、着用時に耳掛け部の端部によってマスク本体部の縁部を着用者の頬に押し付けることができ、マスク本体部の左右両側部分の隙間をさらに抑制することができる。
【００１８】
第５発明のマスクは、上記第１乃至第４発明のいずれかにおいて、前記プリーツ押部は、前記マスク本体部の左右方向両側においてそれぞれ二重となるように、前記マスク本体部に形成されていることを特徴とする。
本願第５発明では、プリーツ押部をマスク本体部の左右方向両側にそれぞれ二重に形成する。これにより、マスク本体部の左右両側部分の剛性を増大し、着用時に生じる歪みや隙間をさらに抑制することができる。また、プリーツ押部を１重のみ形成する場合に比べ、マスク本体部の左右両側部分と着用者の頬との接触面積を拡大できるので、装着感を良好にすることができる。
【発明の効果】
【００１９】
本発明によれば、マスク本体部の左右両側部分における隙間の形成の抑制機能を向上することができる。
【図面の簡単な説明】
【００２０】
【図１】実施形態に係るマスクの正面図である。
【図２】図１のＩＩ−ＩＩ断面図である。
【図３】図２に示すマスク本体部の側断面の一部を拡大した部分断面図である。
【図４】マスクの着用状態を表す斜視図である。
【図５】マスクの着用状態を表す側面図である。
【図６】第１の比較例としてのマスクの正面図である。
【図７】第１の比較例としてのマスクの着用状態を表す斜視図である。
【図８】第２の比較例としてのマスクの正面図である。
【図９】プリーツの形態の変形例を表すマスク本体部の側断面図である。
【発明を実施するための形態】
【００２１】
以下、本発明の一実施の形態を図面を参照しつつ説明する。
図１はマスク１の正面図であり、図２は図１のＩＩ−ＩＩ断面図である。また図３は、図２に示すマスク本体部２の側断面の一部を拡大した部分断面図である。また図４及び図５は、マスク１の着用状態を表す斜視図及び側面図である。なお、以下の説明において、上下及び左右という場合は着用時におけるマスク１の上下方向及び左右方向を指すものであり、それぞれ図１中における上下方向及び左右方向に相当するものである。
【００２２】
図１に示すように、マスク１は、着用者の顔面の対象部位を覆うマスク本体部２と、このマスク本体部２を着用者の耳に係止するための左右一対の耳掛け部３とを有している。図１及び図２に示すように、マスク本体部２には、上下方向に広がることが可能なプリーツ４ａ〜４ｄが、上下方向４箇所に並列して形成されている。図４及び図５に示すように、着用時にはこれらプリーツ４ａ〜４ｄが上下方向に広げられることにより、マスク本体部２が鼻、口及び顎を含む着用者の顔面の対象部位を覆うようになっている。
【００２３】
図３に示すように、マスク本体部２は、中間層５と、この中間層５を挟んで表側（着用者側と反対となる側）及び裏側（着用者側）にそれぞれ設けられる両側層６，７とからなる３層構造となっている。中間層５はフィルター機能を有するものであり、例えばメルトブロー不織布により構成される。両側層６，７は、マスク本体部２に厚みや強度を付与すると共に、着用者の肌に直接接触することから肌触りを良好とするために設けられる。これら両側層６，７は、例えばエアスルー不織布、スパンボンド不織布、スパンレース不織布等により構成される。
【００２４】
なお、上記中間層５に、香料や、抗菌・抗ウィルス効果を有する薬剤等を塗布してもよい。抗菌・抗ウィルス効果を有する薬剤としては、例えばローズバッツが挙げられる。また香料としては、例えばメントール、カルボン、シネオール、リモネン、ピネン、カンファー、リナロール、ターピネオール、ペパーミント、スペアミント、ローズマリー、ラベンダー、ティートゥリー、カモミル、ユーカリ、オレンジ、レモン、ネロリ、ベルガモット、プチグレン等が挙げられる。これらの香料や薬剤を塗布する範囲は特に限定されないが、上部に塗布した場合には着用時に薬剤が目にしみる等の不都合が生じるおそれがあるため、マスク本体部２の上下方向中央部より下の範囲において中間層５に塗布するのが好ましい。
【００２５】
図１に戻り、マスク本体部２の上下方向両側には、上記中間層５及び両側層６，７が熱融着等により接合された接合部８，９がそれぞれ二重となるように形成されている。上端側に形成された接合部８は、上側の接合部８ａと下側の接合部８ｂとからなり、これらの接合部８ａ,８ｂ間には鼻元バー１０が内包されている。この鼻元バー１０は可撓性材料で構成されており、着用時に着用者の鼻元の形状に沿うように変形させることで、マスク本体部２の上側部分と鼻との間に形成される隙間を抑制することができる。なお、本実施形態では特に設けていないが、鼻元バー１０の周囲に熱融着等による接合部を形成することで、鼻元バー１０の移動を制限する構成としてもよい。
【００２６】
またマスク本体部２の左右方向両側には、上記と同様に中間層５及び両側層６，７が熱融着等により接合された接合部２０がそれぞれ二重となるように形成されている。この接合部２０は、マスク本体部２の左右方向両側においてプリーツ４ａ〜４ｄの広がりを押さえるために設けられるものであり、特許請求の範囲に記載のプリーツ押部に相当するものである。図１、図４及び図５に示すように、接合部２０は、上下方向に延びた直線部２１，２２と、左右方向外側に向かって膨らんだ形状の円弧部２３とを、上下方向に直列に有している。円弧部２３は、４箇所のプリーツ４ａ〜４ｄのうちマスク本体部２の上下方向中央側に位置する２つのプリーツ４ｂ，４ｃ間に設けられ、直線部２１，２２は、当該円弧部２３の上下方向両側に設けられている。また、円弧部２３と直線部２１，２２との境界に形成される変曲点２４が、上記２つのプリーツ４ｂ，４ｃにそれぞれ対応した位置となるように、接合部２０は構成されている。なお、上記変曲点２４は接合部２０の凹凸状態が変化する点であり、図１、図４及び図５に示すように、接合部２０は当該変曲点２４において左右方向外側に向けて屈曲している。
【００２７】
また図１、図４及び図５に示すように、耳掛け部３は、その端部３ａがマスク本体部２の表側（着用者側とは反対となる側）に対し熱融着等により接合されることにより、マスク本体部２に取り付けられている。このとき、図１に示すように、左右の耳掛け部３の上側の端部３ａのマスク本体部２への取付位置は、上下方向において異なった構成となっている。すなわち、接合部８ａ,８ｂは互いに左右方向にずれた位置に形成されており、一方側（図１中左側）の耳掛け部３の上側の端部３ａは、上側の接合部８ａと並列すると共に、下側の接合部８ｂと左右方向において一部重複するように接合されている。一方、他方側（図１中右側）の耳掛け部３の上側の端部３ａは、下側の接合部８ｂと並列すると共に、上側の接合部８ａと左右方向において一部重複するように接合されている。このような構成とすることにより、マスク本体部２の上側部分の密着性を向上させている。
【００２８】
なお、耳掛け部３は伸縮性を有する紐状部材であり、例えばスパンデックス（ポリウレタン弾性繊維）により構成される。本実施形態では、耳掛け部３として断面形状が丸状でなく平板状である紐状部材を用いており、着用者の肌との接触面積を増大させて着用時に耳や頬に作用する圧力を低減し、装着感を向上させている。
【００２９】
次に、以上のように構成されたマスク１により得られる効果を比較例を用いて説明する。
図６は第１の比較例としてのマスク１′の正面図であり、図７はマスク１′の着用状態を表す斜視図である。
図６に示すように、マスク１′のマスク本体部２′の左右両側には、外側に向かって膨らんだ円弧状の接合部２０′が形成されている。本実施形態のマスク１と異なり、接合部２０′は直線部を有しておらず、プリーツ４ａ，４ｄ間において一様な円弧形状に形成されている。なお、上記以外の構成は本実施形態のマスク１と同様である。このような構成により、マスク１′の着用時には、図７に示すようにマスク本体部２′の左右両側中央部分を着用者側に変形させて、着用者の頬との間に形成される隙間の抑制を図ることが可能である。
【００３０】
ここで、図７に示すように、着用時におけるマスク本体部２′のプリーツ４ａ〜４ｄは、接合部２０′を境として、その左右方向中央側においては広がり、左右方向外側では広がりが押さえられる。このため、マスク本体部２′の左右両側部分には、接合部２０′を各プリーツ位置において左右方向外側に向けて屈曲させようとする応力が生じる。このような応力は、本実施形態のマスク１においても同様に発生する。
【００３１】
このとき、第１の比較例のマスク１′では、接合部２０′がプリーツ４ｂ，４ｃを跨ぐように形成されている。この接合部２０′は、上記の接合部２０′を外側に屈曲させようとする応力の作用方向とは反対方向に湾曲しているため、当該応力は接合部２０′のプリーツ４ｂ，４ｃに対応した位置において吸収されずに、マスク本体部２′の左右両側における上下方向中央部に集中する。これにより、図７に示すように、マスク本体部２′の上下方向中央側のプリーツ４ｂ，４ｃの間に接合部２０′の凹凸状態が変化する変曲点２４′が形成されることになり、当該変曲点２４′を原因とする歪みや隙間がマスク本体部２′の左右両側部分に生じる結果となる。
【００３２】
これに対し、本実施形態のマスク１では、前述したように、マスク本体部２の左右方向両側に設けられた接合部２０が、直線部２１，２２と円弧部２３とを直列に有している。これにより、円弧部２３においては、上記第１の比較例と同様に、図４及び図５に示すように着用時に当該円弧部２３の部分を着用者側に変形させて着用者の頬との間に形成される隙間を抑制しつつ、直線部２１，２２と円弧部２３との境界に前述の変曲点２４を形成することができる。この変曲点２４は、上下方向に延びた直線部２１と、左右方向外側に向かって膨らんだ形状の円弧部２３との境界であるから、前述したように接合部２０は当該変曲点２４において左右方向外側に向けて屈曲している。したがって、当該変曲点２４により上述した接合部２０を同方向に屈曲させようとする応力を吸収することができ、マスク本体部２の左右両側中央部への応力集中を緩和することができる。その結果、図４及び図５に示すように、マスク本体部２の上下方向中央側のプリーツ４ｂ，４ｃの間に変曲点が形成されることを防止でき、マスク本体部２の左右両側部分に歪みや隙間が生じることを抑制することができる。
【００３３】
なお、上述した接合部２０を各プリーツ位置において左右方向外側に向けて屈曲させようとする応力を吸収するために、マスク本体部の左右両側の縁部に切り込みを形成することも考えられる。図８は、このような構成とした第２の比較例としてのマスク１″の正面図である。図８に示すように、マスク１″のマスク本体部２″の左右両側の縁部には、切り込み部３０が形成されている。また、マスク本体部２″の左右両側には、直線状の接合部２０″が形成されている。上記以外の構成は本実施形態のマスク１と同様である。
【００３４】
当該第２の比較例のマスク１″では、切り込み部３０により上記応力を吸収することは可能であるが、マスクの製造工程に切り込み部３０を形成する工程を追加する必要があるため、製造工程が煩雑になる。また着用時に切り込み部３０が着用者の頬に当たり、装着感の低下を招くおそれがある。これに対し、本実施形態のマスク１では、製造工程の煩雑化を招くことなく上記応力を吸収することができ、且つ、切り込み部を形成しないため装着感の低下を招くこともない。
【００３５】
また、本実施形態では特に、円弧部２３をマスク本体部２の上下方向中央側に位置する２つのプリーツ４ｂ，４ｃ間に設けた構成とする。これにより、マスク本体部２の左右方向両側に直線状の接合部のみを形成した場合における、左右両側中央部に形成される隙間を、円弧部２３の部分を着用者側に変形させることにより効果的に抑制することができる。また円弧部２３をプリーツ４ｂ，４ｃ間に設けることで、円弧部２３がプリーツ４ａ〜４ｄのいずれも跨がない構成とすることができる。すなわち、左右方向外側に向かって膨らんだ円弧部２３の形状は、前述の接合部２０を外側に屈曲させようとする応力の作用方向とは反対方向に湾曲しているため、円弧部２３がプリーツ４ａ〜４ｄを跨ぐ場合には接合部２０を屈曲させようとする応力を吸収することができないが、上述のように円弧部２３がプリーツ４ａ〜４ｄを跨がない構成とすることで、上記応力の吸収機能を向上することができる。
【００３６】
また、本実施形態では特に、直線部２１，２２と円弧部２３との境界をプリーツ４ｂ，４ｃの位置に対応させた構成とする。前述したように、当該境界には変曲点２４が形成され、接合部２０は当該変曲点２４において左右方向外側に向けて屈曲するため、当該変曲点２４の位置とプリーツ４ｂ，４ｃの位置とを一致させることにより、接合部２０を同方向に屈曲させようとする応力を効果的に吸収することができる。
【００３７】
また、本実施形態では特に、耳掛け部３の端部３ａをマスク本体部２の表側に取り付けた構成とする。これにより、耳掛け部３の端部３ａをマスク本体部２の裏側（着用者側）に取り付ける場合に比べ、着用時に耳掛け部３の端部３ａによってマスク本体部２の縁部を着用者の頬に押し付けることができ、マスク本体部２の左右両側部分の隙間をさらに抑制することができる。さらに本実施形態では、前述したように、左右の耳掛け部３の上側の端部３ａのマスク本体部２への取付位置を上下方向において異ならせ、端部３ａを接合部８ａ，８ｂのいずれかと左右方向において一部重複するように接合する。このような構成とすることにより、マスク本体部２の上側部分の密着性を向上させ、当該上側部分における隙間の形成を抑制することができる。また、このようにマスク本体部２の上部の隙間の形成を抑制できる結果、前述したように中間層５に塗布した薬剤等が着用者の目にしみる等の不都合が生じるのを抑制できる。
【００３８】
また、本実施形態では特に、マスク本体部２の左右方向両側に接合部２０をそれぞれ二重に形成する。これにより、マスク本体部２の左右両側部分の剛性を増大し、着用時に生じる歪みや隙間をさらに抑制することができる。また、接合部２０を１重のみ形成する場合に比べ、マスク本体部２の左右両側部分と着用者の頬との接触面積を拡大できるので、装着感を良好にすることができる。
【００３９】
なお、本発明は、上記実施形態に限るものではなく、その趣旨及び技術的思想を逸脱しない範囲内で種々の変形が可能である。
例えば、上記実施形態ではプリーツの数が４本である場合を説明したが、このプリーツの数は好適な一例であり、２本以上であれば奇数・偶数に関わらず特に限定されるものではない。また、プリーツの形態は図２に示すようなマスク本体部２の上下方向中央側が頂点となるものに限らず、例えば図９に示すようにマスク本体部２の下側（上側でもよい）が頂点となるような形態でもよい。
【００４０】
また、上記実施形態では鼻元バー１０を設けるようにしたが、さらに口元バーを設けてもよい。この口元バーは、鼻元バー１０と同様に可撓性材料で構成されており、着用者の口元とマスク本体部２との接触をなくすために設けられる。これにより、例えば着用者が女性である場合にはマスク本体部２への口紅の付着を防止することができる。口元バーは、例えばマスク本体部２の上下方向中央側のプリーツ４ｂ，４ｃ間に設けられる。
【００４１】
また、上記実施形態では、接合部８，９，２０を熱融着により形成するようにしたが、これに限らず、例えば縫合によって接合部を形成してもよい。この場合、マスク本体部２を構成する中間層５や両側層６，７を、熱可塑性のある材料以外で構成することができる。
また、以上既に述べた以外にも、上記実施形態や各変形例による手法を適宜組み合わせて利用しても良い。
その他、一々例示はしないが、本発明は、その趣旨を逸脱しない範囲内において、種々の変更が加えられて実施されるものである。
【符号の説明】
【００４２】
１            マスク
２            マスク本体部
３            耳掛け部
４ａ〜４ｄ    プリーツ
２０          接合部（プリーツ押部）
２１，２２    直線部
２３          円弧部
【図１】
2011024942.tif 000003
【図２】
2011024942.tif 000004
【図３】
2011024942.tif 000005
【図４】
2011024942.tif 000006
【図５】
2011024942.tif 000007
【図６】
2011024942.tif 000008
【図７】
2011024942.tif 000009
【図８】
2011024942.tif 000010
【図９】
2011024942.tif 000011